【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  被写体像を光電変換して撮像信号を出力する撮像手段と、前記撮像手段への光量を制御する光量制御手段と、被写体に対する焦点状態を検出して焦点情報を出力する焦点検出手段と、前記被写体に対して測光を行い、測光情報を出力する測光手段と、前記焦点検出手段によって焦点状態が検出された後に第１の発光を行い、前記第１の発光よりも後に第２の発光を行う発光手段と、前記焦点情報と、前記測光情報に基づいて、前記発光手段の第１の発光時と第２の発光時における前記光量制御手段の設定値を異ならせる制御手段と、を備えたことを特徴とする撮像装置。
【請求項２】  前記焦点情報は、前記被写体との間の距離情報であり、前記制御手段は、前記光量制御手段の設定値を、前記第１の発光時は前記焦点情報に基づいて決定し、前記第２の発光時は、前記焦点検出手段によって焦点状態が検出される前に前記測光手段によって求められた測光情報に基づいて決定することを特徴とする請求項１に記載の撮像装置。
【請求項３】  被写体像を光電変換して撮像信号を出力する撮像手段と、前記撮像手段への光量を制御する光量制御手段と、被写体に対する焦点状態を検出して焦点情報を出力する焦点検出手段と、前記被写体に対して測光を行い、測光情報を出力する測光手段と、前記焦点検出手段によって焦点状態が検出された後に第１の発光を行い、前記第１の発光よりも後に第２の発光を行う発光手段と、前記焦点情報に基づいて決定した設定値と、前記測光情報に基づいて決定した設定値とを選択的に用いて、前記発光手段の第１の発光時と第２の発光時における前記光量制御手段の設定値を決定する制御手段と、を備えたことを特徴とする撮像装置。
【請求項４】  撮像操作を指示するレリーズスイッチの第１ストロークの押圧に応じて前記焦点検出手段と前記測光手段を動作させてそれぞれ前記焦点情報及び測光情報を得、該測光情報に基づいて前記発光手段の発光の有無を決定し、該発光手段が動作される場合には、前記第１ストロークより深い第２ストロークの押圧に応じて、前記第１の発光と、前記第２の発光を順次行わせることを特徴とする請求項２または３に記載の撮像装置。
【請求項５】  前記制御手段は前記発光手段に、前記第１の発光と、前記第２の発光を順次行わせ、前記制御手段は、前記第１の発光時は前記焦点検出情報を基に決定した設定値と、前記焦点検出手段によって焦点状態が検出される前に前記測光手段によって求められた測光情報を基に決定した設定値とを比較し、小絞り側となる設定値を選択することを特徴とする請求項３または４に記載の撮像装置。
【請求項６】  前記制御手段は、前記第２の発光時は、前記焦点検出手段によって焦点状態が検出される前に前記測光手段によって求められた測光情報を基に決定した設定値を選択することを特徴とする請求項３から５のいずれかに記載の撮像装置。
【請求項７】  前記制御手段は、前記第２の発光時は、前記焦点検出情報を基に決定した設定値と、前記焦点検出手段によって焦点状態が検出される前に前記測光手段によって求められた測光情報を基に決定した設定値のうちのいずれかを撮影モードによって選択することを特徴とする請求項３から５のいずれかに記載の撮像装置。
【請求項８】  前記制御手段はマクロモードにおける前記第２の発光手段による発光時は、前記第１の発光手段による発光時に選択された方の設定値を選択することを特徴とする請求項７に記載の撮像装置。
【請求項９】  被写体像を光電変換して撮像信号を出力する撮像工程と、前記撮像工程への光量を制御する光量制御工程と、被写体に対する焦点状態を検出して焦点情報を出力する焦点検出工程と、前記被写体に対して測光を行い、測光情報を出力する測光工程と、前記焦点検出工程によって焦点状態が検出された後に第１の発光を行い、前記第１の発光よりも後に第２の発光を行う発光工程と、前記焦点情報と、前記測光情報に基づいて、前記発光工程の第１の発光時と第２の発光時における前記光量制御工程の設定値を異ならせる制御工程と、を備えたことを特徴とする撮像方法。
【請求項１０】 被写体像を光電変換して撮像信号を出力する撮像工程と、前記撮像工程への光量を制御する光量制御工程と、被写体に対する焦点状態を検出して焦点情報を出力する焦点検出工程と、前記被写体に対して測光を行い、測光情報を出力する測光工程と、前記焦点検出工程によって焦点状態が検出された後に第１の発光を行い、前記第１の発光よりも後に第２の発光を行う発光工程と、前記焦点情報に基づいて決定した設定値と、前記測光情報に基づいて決定した設定値とを選択的に用いて、前記発光工程の第１の発光時と第２の発光時における前記光量制御工程の設定値を決定する制御工程と、を備えたことを特徴とする撮像方法。
【手続補正２】
【補正対象書類名】明細書
【補正対象項目名】０００６
【補正方法】変更
【補正の内容】
【０００６】
【課題を解決するための手段】
上記課題を解決し、目的を達成するために、本発明の撮像装置は、被写体像を光電変換して撮像信号を出力する撮像手段と、前記撮像手段への光量を制御する光量制御手段と、被写体に対する焦点状態を検出して焦点情報を出力する焦点検出手段と、前記被写体に対して測光を行い、測光情報を出力する測光手段と、前記焦点検出手段によって焦点状態が検出された後に第１の発光を行い、前記第１の発光よりも後に第２の発光を行う発光手段と、前記焦点情報と、前記測光情報に基づいて、前記発光手段の第１の発光時と第２の発光時における前記光量制御手段の設定値を異ならせる制御手段と、を備えたことを特徴とする。
【手続補正３】
【補正対象書類名】明細書
【補正対象項目名】０００７
【補正方法】変更
【補正の内容】
【０００７】
上記課題を解決し、目的を達成するために、本発明の撮像装置は、被写体像を光電変換して撮像信号を出力する撮像手段と、前記撮像手段への光量を制御する光量制御手段と、被写体に対する焦点状態を検出して焦点情報を出力する焦点検出手段と、前記被写体に対して測光を行い、測光情報を出力する測光手段と、前記焦点検出手段によって焦点状態が検出された後に第１の発光を行い、前記第１の発光よりも後に第２の発光を行う発光手段と、前記焦点情報に基づいて決定した設定値と、前記測光情報に基づいて決定した設定値とを選択的に用いて、前記発光手段の第１の発光時と第２の発光時における前記光量制御手段の設定値を決定する制御手段と、を備えたことを特徴とする。
【手続補正４】
【補正対象書類名】明細書
【補正対象項目名】０００８
【補正方法】変更
【補正の内容】
【０００８】
上記課題を解決し、目的を達成するために、本発明の撮像方法は、被写体像を光電変換して撮像信号を出力する撮像工程と、前記撮像工程への光量を制御する光量制御工程と、被写体に対する焦点状態を検出して焦点情報を出力する焦点検出工程と、前記被写体に対して測光を行い、測光情報を出力する測光工程と、前記焦点検出工程によって焦点状態が検出された後に第１の発光を行い、前記第１の発光よりも後に第２の発光を行う発光工程と、前記焦点情報と、前記測光情報に基づいて、前記発光工程の第１の発光時と第２の発光時における前記光量制御工程の設定値を異ならせる制御工程と、を備えたことを特徴とする。
【手続補正５】
【補正対象書類名】明細書
【補正対象項目名】０００９
【補正方法】変更
【補正の内容】
【０００９】
上記課題を解決し、目的を達成するために、本発明の撮像方法は、被写体像を光電変換して撮像信号を出力する撮像工程と、前記撮像工程への光量を制御する光量制御工程と、被写体に対する焦点状態を検出して焦点情報を出力する焦点検出工程と、前記被写体に対して測光を行い、測光情報を出力する測光工程と、前記焦点検出工程によって焦点状態が検出された後に第１の発光を行い、前記第１の発光よりも後に第２の発光を行う発光工程と、前記焦点情報に基づいて決定した設定値と、前記測光情報に基づいて決定した設定値とを選択的に用いて、前記発光工程の第１の発光時と第２の発光時における前記光量制御工程の設定値を決定する制御工程と、を備えたことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】